(57)【要約】【課題】３層構造の配送伝票に配送伝票とは厚さが異なる紙片部が一体となりながらも、厚さの差による印字性能の低下を抑制する。【解決手段】印字台紙１ａ、支持台紙１ｂ及び剥離台紙１ｃが積層され、印字台紙１ａと支持台紙１ｂとが少なくともその一部が剥離可能になるように互いに貼着され、かつ、支持台紙１ｂと剥離台紙１ｃとが剥離可能に貼着されてなる配送伝票１０と、印字台紙１ａ及び支持台紙１ｂが積層され、印字台紙１ａ及び支持台紙１ｂが互いに貼着されてなる葉書部２０と、印字台紙１ａからなる帳票部３０とを有し、印字台紙１ａは、配送伝票１０、葉書部２０及び帳票部３０が、配送伝票１０、葉書部２０及び帳票部３０の順序で切り離し可能に連接してなり、支持台紙１ｂは、配送伝票１０及び葉書部２０が切り離し可能に連接してなる。【選択図】図１
2010280160.tif 000002
【特許請求の範囲】
【請求項１】
第１、第２及び第３のシートが積層され、前記第１のシートと前記第２のシートとが少なくともその一部が剥離可能になるように互いに貼着され、かつ、前記第２のシートと前記第３のシートとが剥離可能に貼着されてなる配送伝票と、
前記第１及び前記第２のシートが積層され、該第１及び第２のシートが互いに貼着されてなる葉書部と、
前記第１のシートからなる帳票部とを有し、
前記第１のシートは、前記配送伝票、前記葉書部及び前記帳票部が、前記配送伝票、前記葉書部及び前記帳票部の順序で切り離し可能に連接してなり、
前記第２のシートは、前記配送伝票及び前記葉書部が切り離し可能に連接してなる配送伝票用シート。
【請求項２】
請求項１に記載の配送伝票用シートにおいて、
前記葉書部は、葉書本体と分離部とからなり、前記分離部のうち前記第１のシートと前記第２のシートとの一方が、当該葉書部から分離可能に構成された分離領域となり、前記分離部のうち前記第１のシートと前記第２のシートとの他方が、前記分離領域に対向する面に剥離可能でかつ前記葉書本体に貼着可能な貼着構造を有する配送伝票用シート。
【発明の詳細な説明】
【技術分野】
【０００１】
本発明は、配送伝票に、配送伝票とは厚さが異なる紙片部が一体となった配送伝票用シートに関する。
【背景技術】
【０００２】
従来より、配送物を配送する場合、配送物の配送元及び配送先の住所や氏名あるいは名称等の配送情報が記載された配送伝票が用いられ、配送情報が記載された配送伝票が配送物に貼着され、配送伝票に記載された配送情報に従って配送物が配送先に配送されている。
【０００３】
近年、このような配送伝票において葉書と一体としたものが考えられており、特許文献１に開示されている。特許文献１に開示された配送伝票は、上紙と下紙とを、その一部の領域を剥離可能に、また、他の領域を剥離困難にそれぞれ貼り合わせ、上紙と下紙とが剥離可能に貼り合わされた領域を配送伝票とし、上紙と下紙とが剥離困難に貼り合わされた領域を葉書とするものであって、これら配送伝票と葉書とはミシン目によって切り離し可能に構成されている。葉書は、その厚さが規定の厚さ以上である必要があるが、このように、上紙と下紙とを貼り合わせることによりその厚さを確保することができる。
【０００４】
配送伝票を用いて配送物が配送された場合、その配送物の代金の支払い処理が必要となる。配送物の代金の支払い処理においては、クレジットカードや代金引換の他に、コンビニエンスストアでの支払いや、郵便局や銀行での振り込みが利用される。そのため、このような振込用紙を配送物に同封しておく必要があるが、近年では、そのような振込用紙への印字内容と配送伝票への印字内容とのマッチング処理を簡易にするために、上述したような配送伝票にさらに振込用紙を一体化したものが考えられており、特許文献２に開示されている。ところで、振込用紙においても、強度を保つために所定の厚さが必要となるが、上述したような配送伝票と葉書とが一体となったものの厚さでは、その厚さが必要となる厚さよりも過剰に厚くなってしまう。そこで、特許文献２に開示されたものにおいては、振込用紙を含む一般帳票となる部分を１枚のシートからなる１層構造としている。ところが、配送伝票が設けられた領域は、３枚のシートが積層されてなる３層構造であるため、３層構造と１層構造との厚さの差による段差によってプリンタにおける印字性能が低下してしまう。そこで、特許文献２に開示されたものにおいては、さらに、１層構造の部分に厚み調整部材を設け、３層構造と１層構造との厚さの差による段差をこの厚み調整部材によってなくしている。
【先行技術文献】
【特許文献】
【０００５】
【特許文献１】特開２００８−２６５１２８号公報
【特許文献２】特開２００６−２４７９７５号公報
【発明の概要】
【発明が解決しようとする課題】
【０００６】
しかしながら、特許文献２に開示されたものにおいては、３層構造と１層構造との厚さの差による段差を厚み調整部材によってなくしているが、厚み調整部材は、３層構造をそれぞれ構成するシートと１層構造を構成するシートとは別体として設けられるため、実際にプリンタに通した場合に、その部分が剥がれてしまったり、ジャムが発生してしまったりする虞れがある。
【０００７】
本発明は、上述したような従来の技術が有する問題点に鑑みてなされたものであって、３層構造の配送伝票に配送伝票とは厚さが異なる紙片部が一体となりながらも、厚さの差による印字性能の低下を抑制することができる配送伝票用シートを提供することを目的とする。
【課題を解決するための手段】
【０００８】
上記目的を達成するために本発明は、
第１、第２及び第３のシートが積層され、前記第１のシートと前記第２のシートとが少なくともその一部が剥離可能になるように互いに貼着され、かつ、前記第２のシートと前記第３のシートとが剥離可能に貼着されてなる配送伝票と、
前記第１及び前記第２のシートが積層され、該第１及び第２のシートが互いに貼着されてなる葉書部と、
前記第１のシートからなる帳票部とを有し、
前記第１のシートは、前記配送伝票、前記葉書部及び前記帳票部が、前記配送伝票、前記葉書部及び前記帳票部の順序で切り離し可能に連接してなり、
前記第２のシートは、前記配送伝票及び前記葉書部が切り離し可能に連接してなる。
【０００９】
上記のように構成された本発明においては、第１、第２及び第３のシートが積層され、この第１のシートと第２のシートとが少なくともその一部が剥離可能になるように互いに貼着され、かつ、第２のシートと第３のシートとが剥離可能に貼着されてなる配送伝票と、第１及び第２のシートが積層され、これら第１及び第２のシートが互いに貼着されてなる葉書部と、第１のシートからなる帳票部とが、第１のシートが、配送伝票、葉書部及び帳票部が、配送伝票、葉書部及び帳票部の順序で切り離し可能に連接され、かつ、第２のシートが、配送伝票及び葉書部が切り離し可能に連接されることにより互いに連接しているので、第１、第２及び第３のシートが積層されてなる３層構造の配送伝票と、第１及び第２のシートが積層されてなる２層構造の葉書部と、第１のシートからなる１層構造の帳票部とがこの順序で連接していることになり、それにより、厚さの差による段差が配送伝票と葉書部との境界、葉書部と帳票部との境界でそれぞれ１層分となり、厚さの差による印字性能の低下が抑制される。
【００１０】
また、葉書部が葉書本体と分離部とからなり、分離部のうち第１のシートと第２のシートとの一方が、葉書部から分離可能に構成された分離領域となり、分離部のうち第１のシートと第２のシートとの他方が、その分離領域に対向する面に剥離可能でかつ葉書本体に貼着可能な貼着構造を有する構成とすれば、分離領域を葉書部から分離し、その分離領域に対向する領域を折り畳んで貼着構造によって葉書本体に剥離可能に貼着することができ、それにより、葉書本体のうち分離領域に対向する領域を折り畳んだ際に対向する領域に、隠蔽情報を記入するための領域を設けておけば、この領域に記入された情報を隠蔽した状態で葉書を送付することができる。
【発明の効果】
【００１１】
以上説明したように本発明においては、第１、第２及び第３のシートが積層され、第１のシートと第２のシートとが少なくともその一部が剥離可能になるように互いに貼着され、かつ、第２のシートと第３のシートとが剥離可能に貼着されてなる配送伝票と、第１及び第２のシートが積層され、第１及び第２のシートが互いに貼着されてなる葉書部と、第１のシートからなる帳票部とを有し、第１のシートにおいては、配送伝票、葉書部及び帳票部が、配送伝票、葉書部及び帳票部の順序で切り離し可能に連接し、第２のシートにおいては、配送伝票及び葉書部が切り離し可能に連接して構成されているため、厚さの差による段差が配送伝票と葉書部との境界、葉書部と帳票部との境界でそれぞれ１層分となり、厚さの差による印字性能の低下を抑制することができる。
【００１２】
また、葉書部が葉書本体と分離部とからなり、分離部のうち第１のシートと第２との一方が、葉書部から分離可能に構成された分離領域となり、分離部のうち第１のシートと第２のシートとの他方が、その分離領域に対向する面に剥離可能でかつ葉書本体に貼着可能な貼着構造を有するものにおいては、分離領域を葉書部から分離し、その分離領域に対向する領域を折り畳んで貼着構造によって葉書本体に剥離可能に貼着することができ、それにより、葉書本体のうち分離領域に対向する領域を折り畳んだ際に対向する領域に、隠蔽情報を記入するための領域を設けておけば、この領域に記入された情報を隠蔽した状態で葉書を送付することができる。
【図面の簡単な説明】
【００１３】
【図１】本発明の配送伝票用シートの第１の実施の形態を示す図であり、（ａ）は表面図、（ｂ）は（ａ）に示したＡ−Ａ’断面図、（ｃ）は（ａ）に示したＢ−Ｂ’断面図である。
【図２】図１に示した配送伝票用シートに対して印刷を行い、配送伝票を配送物に貼付する前までの使用方法を説明するための図である。
【図３】図１に示した配送伝票を配送物に貼付する際の使用方法を説明するための図である。
【図４】本発明の配送伝票用シートの第２の実施の形態を示す図であり、（ａ）は表面図、（ｂ）は（ａ）に示したＡ−Ａ’断面図、（ｃ）は（ａ）に示したＢ−Ｂ’断面図である。
【図５】図４に示した配送伝票用シートについて葉書部と帳票部とが切り離された状態を示す図である。
【図６】図４に示した葉書部の使用方法を説明するための図である。
【発明を実施するための形態】
【００１４】
以下に、本発明の実施の形態について図面を参照して説明する。
【００１５】
（第１の実施の形態）
図１は、本発明の配送伝票用シートの第１の実施の形態を示す図であり、（ａ）は表面図、（ｂ）は（ａ）に示したＡ−Ａ’断面図、（ｃ）は（ａ）に示したＢ−Ｂ’断面図である。
【００１６】
本形態は図１に示すように、互いに大きさが異なる第１のシートである印字台紙１ａと、第２のシートである支持台紙１ｂと、第３のシートである剥離台紙１ｃとが積層されて構成されており、印字台紙１ａ、支持台紙１ｂ及び剥離台紙１ｃが積層された領域が配送伝票１０となり、印字台紙１ａ及び支持台紙１ｂが積層された領域が葉書部２０となり、印字台紙１ａのみの領域が帳票部３０となっている。そして、配送伝票１０、葉書部２０及び帳票部３０の順序で配置され、印字台紙１ａ及び支持台紙１ｂに形成されたミシン目４０によってこれらが切り離し可能に連接している。これにより、印字台紙１ａ、支持台紙１ｂ及び剥離台紙１ｃが積層された３層構造の配送伝票１０と、印字台紙１ａ及び支持台紙１ｂが積層された２層構造の葉書部２０と、印字台紙１ａのみの１層構造の帳票部３０とが、その厚さの差による段差が１層分ずつとなる階段状となっている。このように、葉書部２０は、印字台紙１ａ及び支持台紙１ｂが積層された２層構造になっていることにより、葉書として決められた所定の厚さが確保されている。
【００１７】
配送伝票１０は、受領票１１と貼付票１２とシール部１３とから構成されており、受領票１１と貼付票１２とは、印字台紙１ａのみに形成されたスリット１４ａによって分離可能となっており、また、貼付票１２とシール部１３とは、印字台紙１ａ及び支持台紙１ｂに形成されたスリット１４ｂによって分離可能となっている。すなわち、スリット１４ａは、受領票１１と貼付票１２との境界において印字台紙１ａにのみ形成されており、スリット１４ｂは、貼付票１２とシール部１３との境界において印字台紙１ａ及び支持台紙１ｂに形成されている。
【００１８】
受領票１１は、印字台紙１ａに、この配送伝票１０が貼付される配送物の配送先や配送元の住所や氏名、あるいは配送物の品名等の配送情報が印字される配送情報記載欄１１ａが設けられるとともに、配送物の配送先にて受領印を押下するための押印欄１１ｂが設けられている。また、角部の１つに、印字台紙１ａのみが切り欠かれた切り欠き１１ｃが設けられている。なお、切り欠き１１は、必ずしも設けておく必要はない。
【００１９】
貼付票１２は、印字台紙１ａに、この配送伝票１０が貼付される配送物の配送先や配送元の住所や氏名、あるいは配送物の品名等の配送情報が印字される配送情報記載欄１２ａが設けられている。
【００２０】
葉書部２０は、葉書本体２１と不要部２２とから構成されており、これら葉書本体２１と不要部２２とは、印字台紙１ａ及び支持台紙１ｂに形成されたミシン目４０によって切り離し可能となっている。
【００２１】
帳票部３０は、この配送伝票用シートが用いられて配送される配送物についての明細情報が記載される納品書３１と、配送物の代金を支払うための振込用紙３２とから構成されており、これら納品書３１と振込用紙３２とは、印字台紙１ａに形成されたミシン目４０によって切り離し可能となっている。帳票部３０は、上述したように印字台紙１ａのみからなる１層構造となっており、それにより、振込用紙３２が、その強度を保つために必要最低限の厚さとなっている。
【００２２】
印字台紙１ａは、支持台紙１ｂに対向する面のうち受領票１１となる領域に剥離用印刷５が施されている。また、支持台紙１ｂは、印字台紙１ａに対向する面の全面に、剥離後は貼着機能が再現しない擬似接着剤２が塗布されており、また、剥離台紙１ｃに対向する面において剥離台紙１ｃに対向する領域に粘着剤３が塗布されている。また、剥離台紙１ｃは、支持台紙２に対向する面の全面にシリコン等からなる剥離剤４が塗布されている。なお、擬似接着剤２としては、所定の圧力をかけることによって貼着機能を有する感圧接着剤や、生乾きのニスを用いて貼着機能が生じる接着剤等を用いることが考えられる。
【００２３】
これにより、配送伝票１０は、印字台紙１ａと支持台紙１ｂとが擬似接着剤２及び剥離用印刷５によって受領票１１のみが剥離可能となるように互いに貼着され、支持台紙１ｂと剥離台紙１ｃとが粘着剤３及び剥離剤４によって剥離可能に貼着されている。また、葉書部２０は、印字台紙１ａと支持台紙１ｂとが擬似接着剤２によって互いに貼着されている。
【００２４】
以下に、上記のように構成された配送伝票用シートの使用方法について説明する。
【００２５】
図２は、図１に示した配送伝票用シートに対して印刷を行い、配送伝票１０を配送物に貼付する前までの使用方法を説明するための図である。
【００２６】
図１に示した配送伝票用シートを用いて配送物を配送する場合は、まず、配送伝票用シートに対して印字を行う。図１に示した配送伝票用シートにおいては、上述したように、印字台紙１ａの配送伝票１０となる領域に、この配送伝票１０が貼付される配送物の配送先や配送元の住所や氏名、あるいは配送物の品名等の配送情報が印字される配送情報記載欄１１ａ，１２ａが設けられているとともに、帳票部３０となる領域にこの配送伝票用シートが用いられて配送される配送物についての明細情報が記載される納品書３１と、配送物の代金を支払うための振込用紙３２とが配置されているため、図２（ａ）に示すように、配送伝票１０に設けられた配送情報記載欄１１ａ，１２ａに、この配送伝票１０が貼付される配送物の配送先や配送元の住所や氏名、あるいは配送物の品名等の配送情報１１ｄ，１２ｂがそれぞれ印字されるとともに、納品書３１に、この配送伝票用シートが用いられて配送される配送物についての明細情報３１ａが印字され、また、振込用紙３２には、配送物の代金を支払うために必要となる払込情報３２ａが印字される。
【００２７】
この際、図１に示した配送伝票用シートは、プリンタに通されて上述したような情報が印字されることになるが、印字台紙１ａと支持台紙１ｂと剥離台紙１ｃとが積層されてなる３層構造の配送伝票１０と、印字台紙１ａと支持台紙１ｂとが積層されてなる２層構造の葉書部２０と、印字台紙１ａのみからなる１層構造の帳票部３０とがこの順序で連接しているため、厚さの差による段差が配送伝票１０と葉書部２０との境界、葉書部２０と帳票部３０との境界でそれぞれ１層分となり、それにより、ジャム等が発生することなく、印字性能の低下が抑制されることになる。
【００２８】
配送情報記載欄１１ａ，１２ａに配送情報１１ｄ，１２ｂがそれぞれ印字されるとともに、納品書３１に明細情報３１ａが印字され、また、振込用紙３２に払込情報３２ａが印字された後、配送伝票１０を配送物に貼付するために、配送伝票１０と葉書部２０との境界にて印字台紙１ａ及び支持台紙１ｂに形成されたミシン目４０を破断することにより、図２（ｂ）に示すように、配送伝票１０を、葉書部２０及び帳票部３０から切り離す。
【００２９】
そして、葉書部２０及び帳票部３０から分離された配送伝票１０は、この配送伝票１０を用いて配送される配送物に貼付されることになる。
【００３０】
図３は、図１に示した配送伝票１０を配送物に貼付する際の使用方法を説明するための図である。
【００３１】
図１に示した配送伝票１０を配送物に貼付する場合は、まず、配送伝票１０の支持台紙１ｂと剥離台紙１ｃとを剥離する。支持台紙１ｂと剥離台紙１ｃとは、支持台紙１ｂに塗布された粘着剤３によって互いに貼着されているものの、剥離台紙１ｃの貼着面には剥離剤４が塗布されているため、これら支持台紙１ｂと剥離台紙１ｃとを剥離することができる。
【００３２】
また、貼付票１２とシール部１３との境界に形成されたスリット１４ｂは、印字台紙１ａ及び支持台紙１ｂに形成されているので、支持台紙１ｂと剥離台紙１ｃとを剥離すると、図３（ａ）に示すように、貼付票１２とシール部１３とが分離する。また、受領票１１と貼付票１２との境界に形成されたスリット１４ａは、印字台紙１ａにのみ形成されているので、支持台紙１ｂと剥離台紙１ｃとを剥離しても分離しない。
【００３３】
このようにして剥離台紙１ｃから剥離した支持台紙１ｂと印字台紙１ａからなる配送伝票１０を、支持台紙１ｂの裏面に塗布された粘着剤３によって配送物に貼付する。この際、上述したように貼付票１２とシール部１３とが分離しており、また、受領票１１と貼付票１２とが分離していないため、図３（ｂ）に示すように、配送物７には、受領票１１と貼付票１２とが一体となって、かつ、シール部１３がこれら受領票１１及び貼付票１２とから分離した状態で貼付されることになる。
【００３４】
また、配送伝票１０から切り離された葉書部２０及び帳票部３０は、配送物７の中に収納され、配送物７とともに配送されることになる。
【００３５】
配送伝票１０が貼付された配送物７は、配送情報記載欄１１ａ，１１ｂに印字された配送情報１１ｄ，１２ｂに従って配送先に配送される。配送物７が配送先に配送されると、押印欄１１ｂに受領印が押下される。配送業者においては、この受領印によって配送物７が配送先にて受け取られたことを証明するため、押印欄１１ｂに受領印が押下された受領票１１を回収する必要がある。そこで、配送物７に貼付された配送伝票１０のうち、受領票１１となる領域において印字台紙１ａと支持台紙１ｂとを剥離する。受領票１１となる領域においては、印字台紙１ａと支持台紙１ｂとが、支持台紙１ｂに塗布された擬似接着剤２によって互いに貼着されているものの、印字台紙１ａの貼着面には剥離用印刷５が施されているため、これら印字台紙１ａと支持台紙１ｂとを容易に剥離することができる。この際、受領票１１に形成された切り欠き１１ｃを摘み代として、印字台紙１ａと支持台紙１ｂとを剥離していくことになるが、受領票１１と貼付票１２との境界に形成されたスリット１４ａは、印字台紙１ａのみに形成されているので、図３（ｃ）に示すように、支持台紙１ｂにおいては、支持台紙１ｂの裏面に貼付された粘着剤３によって配送物７に貼付されたまま、印字台紙１ａのみにおいて受領票１１が貼付票１２から分離することになる。なお、支持台紙１ｂの受領票１１となる領域に広告等の通知情報を印刷しておけば、受領票１１を剥離した際、この通知情報を配送物７の配送先に通知することができる。また、受領票１１を剥離した領域には、支持台紙１ｂに塗布された擬似接着剤２が表出するが、擬似接着剤２は、剥離後は貼着機能が再現しないものであるため、受領票１１を剥離することにより表出した領域がべたつくことがない。
【００３６】
また、配送物７とともに配送された葉書部２０と帳票部３０とは、配送物７の配送先において、ミシン目４０を破断することによって切り離される。そして、葉書部２０においては、ミシン目４０を破断することによって葉書本体２１から不要部２２が切り離され、葉書本体２１が投函されることによって利用されることになる。また、帳票部３０においては、納品書３１に印字された明細情報３１ａが配送物７の配送先に通知されるとともに、納品書３１と振込用紙３２とがミシン目４０を破断することによって切り離され、振込用紙３２を用いて配送物７の代金の支払いが行われる。
【００３７】
（第２の実施の形態）
図４は、本発明の配送伝票用シートの第２の実施の形態を示す図であり、（ａ）は表面図、（ｂ）は（ａ）に示したＡ−Ａ’断面図、（ｃ）は（ａ）に示したＢ−Ｂ’断面図である。
【００３８】
本形態は、第１の実施の形態にて示したものに対して、葉書部１２０の構成のみが異なるものである。本形態における葉書部１２０は図４に示すように、葉書本体１２１と分離部１２２とからなり、これら葉書本体１２１と分離部１２２とは、印字台紙１０１ａに形成されたスリット１２３によって印字台紙１０１ａの分離部１２２となる領域のみが分離領域となって分離可能となっている。さらに、分離部１２２においては、印字台紙１０１ａの支持台紙１０１ｂとの貼着面に剥離剤１０４が塗布されているとともに、支持台紙１０１ｂのそれと対向する面には、貼着後の剥離が可能でかつ剥離後の再貼着が可能な貼着構造を構成する弱粘着再剥離糊１０６が塗布されている。また、葉書本体１２１には、支持台紙１０１ｂの分離部１２２となる領域を折り畳んだ際に対向する領域に、申込情報を隠蔽情報として記入するための隠蔽情報記入欄１２４が設けられている。
【００３９】
以下に、上記のように構成された配送伝票用シートの使用方法について説明する。
【００４０】
まず、配送伝票用シートに対して印字を行うが、配送伝票用シートに対する印字は、第１の実施の形態にて示したものと同様に、配送伝票１１０に設けられた配送情報記載欄１１１ａ，１１２ａに、この配送伝票１１０が貼付される配送物の配送先や配送元の住所や氏名、あるいは配送物の品名等の配送情報がそれぞれ印字されるとともに、納品書１３１に、この配送伝票用シートが用いられて配送される配送物についての明細情報が印字され、また、振込用紙１３２には、配送物の代金を支払うために必要となる払込情報が印字される。
【００４１】
この際、本形態においても、印字台紙１０１ａと支持台紙１０１ｂと剥離台紙１０１ｃとが積層されてなる３層構造の配送伝票１１０と、印字台紙１０１ａと支持台紙１０１ｂとが積層されてなる２層構造の葉書部１２０と、印字台紙１０１ａのみからなる１層構造の帳票部１３０とがこの順序で連接しているため、厚さの差による段差が配送伝票１１０と葉書部１２０との境界、葉書部１２０と帳票部１３０との境界でそれぞれ１層分となり、それにより、ジャム等が発生することなく、印字性能の低下が抑制されることになる。
【００４２】
配送情報記載欄１１１ａ，１１２ａに配送情報がそれぞれ印字されるとともに、納品書１３１に明細情報が印字され、また、振込用紙１３２に払込情報が印字された配送伝票用シートは、第１の実施の形態にて示したものと同様に、ミシン目１４０によって配送伝票１１０が切り離され、配送伝票１１０が配送物に貼付されるとともに、葉書部１２０及び帳票部１３０が配送物の中に収納されて配送されることになる。
【００４３】
そして、配送伝票１１０が貼付された配送物が配送先に配送された後、第１の実施の形態にて示したものと同様に、受領票１１１の押印欄１１１ｂに受領印が押下され、受領票１１１のみが配送伝票１１０から分離されて回収される。
【００４４】
また、配送物とともに配送された葉書部１２０と帳票部１３０とは、配送物の配送先において、ミシン目１４０を破断することによって切り離される。
【００４５】
図５は、図４に示した配送伝票用シートについて葉書部１２０と帳票部１３０とが切り離された状態を示す図である。
【００４６】
配送伝票１１０が貼付された配送物が配送先に配送された後、配送物の中に収納された葉書部１２０及び帳票部１３０が取り出され、図５に示すように、ミシン目１４０を破断することによって切り離されることになる。
【００４７】
そして、葉書部１２０においては、隠蔽情報記入欄１２４に申込情報を隠蔽情報として記入し、葉書本体１２１が投函されることによって利用される。
【００４８】
図６は、図４に示した葉書部１２０の使用方法を説明するための図である。
【００４９】
帳票部１３０から切り離した葉書部１２０を使用する場合は、まず、図６（ａ）に示すように、葉書本体１２１に設けられた隠蔽情報記入欄１２４に、申込情報を隠蔽情報１２４ａとして記入する。
【００５０】
次に、図６（ｂ）に示すように、分離部１２２において、印字台紙１０１ａと支持台紙１０１ｂとを剥離する。分離部１２２においては、印字台紙１０１ａと支持台紙１０１ｂとが、支持台紙１０１ｂに塗布された弱粘着再剥離糊１０６によって互いに貼着されているものの、印字台紙１０１ａの貼着面には剥離剤１０４が塗布されているため、これら印字台紙１０１ａと支持台紙１０１ｂとを容易に剥離することができる。なお、支持台紙１０１ｂに塗布された弱粘着再剥離糊１０６は、上述したように、貼着後の剥離が可能なものであるため、印字台紙１０１ａの貼着面に剥離剤１０４が塗布されていなくても、印字台紙１０１ａと支持台紙１０１ｂとを剥離することができる。この際、葉書本体１２１と分離部１２２との境界にはスリット１２３が形成されており、このスリット１２３は印字台紙１０１ａのみに形成されているので、葉書本体１２１と分離部１２２とにおいては、支持台紙１０１ｂが連接したまま、印字台紙１０１ａのみにおいて分離部１２２が葉書本体１２１から分離する。
【００５１】
すると、分離部１２２において、支持台紙１０１ｂに塗布された弱粘着再剥離糊１０６が表出し、図６（ｃ）に示すように、支持台紙１０１ｂの分離部１２２となる領域を折り畳み、弱粘着再剥離糊１０６によって葉書本体１２１に貼着する。
【００５２】
これにより、図６（ｄ）に示すように、葉書本体１２１に設けられた隠蔽情報記入欄１２４に記入された隠蔽情報１２４ａが視認不可能な状態となり、この葉書部１２０を送付することにより、隠蔽情報記入欄１２４に記入された隠蔽情報１２４ａを送付途中にて隠蔽しながらも、送付先に通知することができる。なお、支持台紙１０１ｂの分離部１２２となる領域のうち弱粘着再剥離糊１０６が塗布された面、あるいはその反対側の面に地紋印刷を施しておくことにより、支持台紙１０１ｂの分離部１２２となる領域が葉書本体１２１に貼着された状態において、葉書部１２０が光に透かされた場合であっても、隠蔽情報記入欄１２４に記入された隠蔽情報１２４ａが視認されてしまうことを回避することができる。支持台紙１０１ｂの分離部１２２となる領域のうち弱粘着再剥離糊１０６が塗布された面に地紋印刷を施す場合は、弱粘着再剥離糊１０６の下層に地紋印刷を施すことになる。また、支持台紙１０１ｂのうち隠蔽情報記入欄１２４に対向する領域や、印字台紙１０１ａの支持台紙１０１ｂとの貼着面のうち隠蔽情報記入欄１２４に対向する領域に地紋印刷を施しておくことによっても、同様の効果を奏する。
【００５３】
このようにして送付された葉書部１２０は、その送付先において、貼着された葉書本体１２１と分離部１２２とが剥離されて見開かれ、隠蔽情報記入欄１２４に記入された隠蔽情報１２４ａが通知されることになる。この際、葉書本体１２１と分離部１２２とは、分離部１２２に塗布された弱粘着再剥離糊１０６によって貼着されているものの、弱粘着再剥離糊１０６は、上述したように、貼着後の剥離が可能なものであるため、互いに剥離することができる。
【００５４】
また、帳票部１３０においては、第１の実施の形態にて示したものと同様に、納品書１３１に印字された明細情報１３１ａが配送物の配送先に通知されるとともに、納品書１３１と振込用紙１３２とがミシン目１４０によって切り離され、振込用紙１３２を用いて配送物の代金の支払いが行われる。
【００５５】
なお、本形態においては、葉書部１２０において、印字台紙１０１ａに隠蔽情報記入欄１２４が設けられるとともに分離部１２２となる領域に剥離剤１０４が塗布され、支持台紙１０１ｂの分離部１２２となる領域に弱粘着再剥離糊１０６が塗布され、印字台紙１０１ａの葉書本体１２１と分離部１２２との境界にスリット１２３が形成されたものを例に挙げて説明したが、印字台紙１０１ａと支持台紙１０１ｂの構成を入れ替え、支持台紙１０１ｂに隠蔽情報記入欄が設けられるとともに分離部１２２となる領域に剥離剤１０４が塗布され、印字台紙１０１ａの分離部１２２となる領域に弱粘着再剥離糊１０６が塗布され、支持台紙１０１ｂの葉書本体１２１と分離部１２２との境界にスリットが形成されたものであってもよい。
【００５６】
また、支持台紙１０１ｂの全面に擬似接着剤１０２を塗布し、葉書部１２０の分離部１２２となる領域のみにその上に弱粘着再剥離糊１０６を塗布した構成であってもよい。
【００５７】
また、上述した２つの実施の形態においては、印字台紙１ａ，１０１ａと支持台紙１ｂ，１０１ｂとを貼着するために、擬似接着剤２，１０２を用いているが、配送伝票１０，１１０の貼付票１２，１１２及びシール部１３，１１３となる領域と、葉書部２０，１２０の葉書本体２１，１２１となる領域においては、配送伝票１０，１１０を配送物に貼付するための粘着剤３，１０３を用いることも考えられる。
【符号の説明】
【００５８】
１ａ，１０１ａ    印字台紙
１ｂ，１０１ｂ    支持台紙
１ｃ，１０１ｃ    剥離台紙
２，１０２    擬似接着剤
３，１０３    粘着剤
４，１０４    剥離剤
５，１０５    剥離用印刷
７    配送物
１０，１１０    配送伝票
１１，１１１    受領票
１１ａ，１２ａ，１１１ａ，１１２ａ    配送伝票記載欄
１１ｂ，１１１ｂ    押印欄
１１ｃ，１１１ｃ    切り欠き
１１ｄ，１２ｂ，１１１ｄ，１１２ｂ    配送情報
１２，１１２    貼付票
１３，１１３    シール部
１４ａ，１４ｂ，１１４ａ，１１４ｂ，１２３    スリット
２０，１２０    葉書部
２１，１２１    葉書本体
２２    不要部
３０，１３０    帳票部
３１，１３１    納品書
３１ａ，１３１ａ    明細情報
３２，１３２    振込用紙
３２ａ，１３２ａ    払込情報
４０，１４０    ミシン目
１０６    弱粘着再剥離糊
１２２    分離部
１２４    隠蔽情報記入欄
１２４ａ    隠蔽情報
【図１】
2010280160.tif 000003
【図２】
2010280160.tif 000004
【図３】
2010280160.tif 000005
【図４】
2010280160.tif 000006
【図５】
2010280160.tif 000007
【図６】
2010280160.tif 000008